(57)【特許請求の範囲】
【請求項１】
給液装置に着脱可能に取り付けられ、液体を受ける受皿であって、
縁部材に、内部に液体が収容可能な凹状のカップ部が一連に形成され、
上記カップ部は、傾斜している側面部を有し、
上記側面部は、上記給液装置の液体を吐出する吐出口の真下位置に配置され、上記カップ部に落下した液体が上記カップ部の底部側に向けて跳ねるように、急角度で傾斜し、
前記カップ部内には、突部が形成され、
前記突部は、先端部が前記縁部材と面一に形成されていることを特徴とする受皿。
【請求項２】
給液装置に着脱可能に取り付けられ、液体を受ける受皿であって、
縁部材に、内部に液体が収容可能な凹状のカップ部が一連に形成され、
上記カップ部は、傾斜している側面部を有し、
上記側面部は、上記給液装置の液体を吐出する吐出口の真下位置に配置され、上記カップ部に落下した液体が上記カップ部の底部側に向けて跳ねるように、急角度で傾斜し、
前記カップ部内には、突部が形成され、
前記突部は、先端部が前記縁部材位置より上方位置まで延設して形成されていることを特徴とする受皿。
【請求項３】
前記側面部は、該側面部の内側面で前記液体を受けるように構成されることを特徴とする請求項１又は２に記載の受皿。
【請求項４】
前記カップ部の底面部の外底面は、平坦に形成されていることを特徴とする請求項１乃至３の何れかに記載の受皿。
【請求項５】
前記縁部材には、化粧板が設けられていることを特徴とする請求項１乃至４の何れかに記載の受皿。
【請求項６】
前記突部は、該突部の側面部が鉛直より傾斜して設けられることを特徴とする請求項１乃至５の何れかに記載の受皿。
【発明の詳細な説明】
【技術分野】
【０００１】
本発明は、給液装置から供給されたがユーザのコップ等の容器に入らなかった液体や容器からあふれたり、こぼれたりした液体を受ける受皿に関する。
【背景技術】
【０００２】
給液装置の一種であるウォータサーバ１００は、図１８に示すように、例えば、前面１０１ａの前面凹部１０２の上方に、液体を吐出する吐出口１０３と、レバー、ボタン、タッチパネル等の吐出操作部１０４とが設置されており、ユーザ等によって吐出操作部１０４が操作されると、吐出口１０３から液体を吐出する（例えば、特許文献１参照）。また、ウォータサーバ１００は、例えば、前面凹部１０２の下方に、液体が収容可能な受け部１１０が着脱可能に設置されており、吐出口１０３から吐出されたが、ユーザのコップ等の容器に入らなかった液体や容器からこぼれた液体を、受け部１１０が受けてその内部に収容する。
【０００３】
受け部１１０は、図１９に示すように、例えば、上面が開口された有底箱状に形成され、液体が収容可能な収容部材１１１と、この収容部材１１１と別体に設けられ、主面の中央部に貫通口１１２ａが形成され、収容部材１１１の開口部を閉塞する蓋体１１２との、少なくとも二部品で構成されている。更に、受け部１１０は、図１８に示すように、ウォータサーバ１００の前面凹部１０２の下方に形成された凹状の受け部取付部１０５に、収容部材１１１の開口部を蓋体１１２で閉塞した状態で配置される。そして、受け部１１０は、例えば液体が受け部１１０に向けてこぼれた場合、こぼれた液体が蓋体１１２の貫通口１１２ａから収容部材１１１内に入り込み、収容部材１１１内に収容される。
【０００４】
しかしながら、受け部１１０は、少なくとも二部品で構成されているので、コスト高である。
【０００５】
また、受け部１１０は、収容部材１１１の上面が開口された箱状に形成されているので、機械的強度を確保するために、収容部材１１１にリブ等を設ける必要がある。しかしながら、受け部１１０は、収容部材１１１にリブが形成されていると、リブとリブが形成された壁面との隅部が洗い難く、汚れが溜まり易い。
【０００６】
また、受け部１１０は、収容部材１１１が箱状に形成されて底面が平坦に設けられているので、例えば液体が比較的高い位置から受け部１１０に向けてこぼれた場合、図１９中の矢印Ｗ３に示すように、こぼれた液体が収容部材１１１の底面に略垂直に当たって、こぼれた液体を受け部１１０の外部に跳ね返してしまう虞がある。
【先行技術文献】
【特許文献】
【０００７】
【特許文献１】特開２０１１−０４６４４６号公報
【発明の概要】
【発明が解決しようとする課題】
【０００８】
本発明は、以上のような課題に鑑みてなされたものであり、構成を簡素化して低コスト化を図ると共に、液跳ねを防止して衛生性、メンテナンス性、安全性の向上を図ることが可能な受皿を提供することを目的とする。
【課題を解決するための手段】
【０００９】
本発明に係る受皿は、給液装置に着脱可能に取り付けられ、液体を受ける受皿であって、縁部材に、内部に液体が収容可能な凹状のカップ部が一連に形成され、上記カップ部は、傾斜している側面部を有し、上記側面部は、上記給液装置の液体を吐出する吐出口の真下位置に配置され、上記カップ部に落下した液体が上記カップ部の底部側に向けて跳ねるように、急角度で傾斜している。
【００１０】
更に、前記カップ部の側面部は、傾斜しているようにしても良い。また、前記カップ部の側面部の内側面は、前記液体を受けることが出来るように構成することが出来、特に、該液体を吐出する吐出部の真下位置に、傾斜した該側面部を配置するように設定することが好ましい。
【００１１】
更に、前記カップ部の底面部は、該底面部の外底面を平坦に形成されているようにしても良い。
【００１２】
更に、前記縁部材には、化粧板を設けても良く、例えば、前記給液装置の筺体と同様の装飾が施された化粧板を設けるようにしても良い。
【００１３】
更に、前記カップ部内には、突部が形成されているようにしても良い。
【００１４】
更に、前記突部は、先端部が前記縁部材と面一に形成されているようにしても良い。
【００１５】
更に、前記突部は、先端部が前記縁部材位置より上方位置まで延設して形成されているようにしても良い。
【００１６】
更に、前記突部の側面部が鉛直より傾斜して設けられ、この傾斜した側面部によって液体を受けるように構成することによって液跳ねを効果的に防止するようにしても良い。
【発明の効果】
【００１７】
本発明によれば、縁部材に、内部に液体が収容可能な凹状のカップ部が一連に形成されているので、構成を簡素化して低コスト化を図ると共に、液跳ねを効果的に防止出来る上、衛生性、メンテナンス性、安全性の向上を図ることが出来る。
【図面の簡単な説明】
【００１８】
【図１】ウォータサーバの受皿取付部を示した側面断面図である。
【図２】ウォータサーバの受皿取付部を示した要部斜視図である。
【図３】第一実施例の受皿を示した斜視図である。
【図４】第一実施例の受皿を示した側面断面図である。
【図５】第一実施例の受皿を示した正面断面図である。
【図６】カップ部の底面部を平坦にした第一実施例の受皿を示した側面断面図である。
【図７】カップ部の側面部を縁部に対して略垂直にした第一実施例の受皿を示した側面断面図である。
【図８】化粧板を有する第一実施例の受皿を示した側面断面図である。
【図９】化粧板を有する第一実施例の受皿の取付状態を示した側面断面図である。
【図１０】カップ部の底面部を平坦にした化粧板を有する第一実施例の受皿を示した側面断面図である。
【図１１】第二実施例の受皿を示した斜視図である。
【図１２】第二実施例の受皿を示した側面断面図である。
【図１３】第二実施例の受皿を示した正面断面図である。
【図１４】突部の先端部を縁部と面一とした第二実施例の受皿を示した側面断面図である。
【図１５】突部の先端部を縁部から突出させた第二実施例の受皿を示した側面断面図である。
【図１６】複数の突部を有する第二実施例の受皿を示した斜視図である。
【図１７】ボス状の突部を有する第二実施例の受皿を示した斜視図である。
【図１８】従来のウォータサーバの受け部取付部を示した側面断面図である。
【図１９】従来の受け部を示した側面断面図である。
【発明を実施するための形態】
【００１９】
以下、本発明を適用した受皿について、図面を参照しながら詳細に説明する。なお、本発明は、以下の例に限定されるものではなく、本発明の要旨を逸脱しない範囲で任意に変更可能である。
【００２０】
先ず、本発明を適用した受皿が着脱可能に設置される給液装置の給液装置の一種であるウォータサーバについて説明する。
【００２１】
給液装置の一種であるウォータサーバ１は、図１に示すように、例えば、前面１ａの前面凹部２の上方に、液体を吐出する吐出口３と、レバー、ボタン、タッチパネル等の吐出操作部４とが設置されている。更に、ウォータサーバ１は、図２に示すように、例えば、前面凹部２の下方の底面に、平坦部５ａと取付凹部５ｂとで構成される受皿取付部５が形成されており、この受皿取付部５に液体が収容可能な受皿１０が着脱可能に設置されている。このようなウォータサーバ１は、ユーザ等によって吐出操作部４が操作されると、吐出口３から温水又は冷水等の水を吐出する。更に、ウォータサーバ１は、吐出口３から吐出されたがユーザのコップ等の容器に入らなかった水や容器からこぼれた水を受皿１０が受けて内部に収容することが出来るように構成されている。
【００２２】
次に、第一実施例の受皿１０について説明する。
【００２３】
具体的に、第一実施例の受皿１０は、例えば、合成樹脂材料等を射出成形等で一体成形したり、又は金属等を加工することで形成されており、図３、図４、図５に示すように、板状の縁部１１と、縁部１１の中心部に凹状に形成され、内部に水が収容可能なカップ部１２とを備えている。
【００２４】
縁部１１は、例えば平面視略矩形状の平坦な縁部材であって、受皿取付部５の平坦部５ａに配置される。勿論、縁部材は、カップ部に向かって暫降した傾斜面としても良い。
【００２５】
カップ部１２は、縁部１１の主面部の中央部に縁部１１と一体に設けられ、所定量の水が収容可能な平面視略矩形状の凹部である。更に、カップ部１２の側面部１２ａは、縁部１１から離間するに従って幅狭となるように内側に傾斜している。更に、カップ部１２の側面部１２ａは、図４中の矢印Ｗ１に示すように、カップ部１２に落下した水がカップ部１２の底面部１２ｂ側（下方側）に向けて跳ねるように、急角度に傾斜している。更に、カップ部１２の底面部１２ｂは、カップ部１２に落下した水がカップ部１２の外に跳ね返らないように、湾曲又は傾斜しており、ここでは円弧状に形成されている。
【００２６】
以上のような構成を有する受皿１０は、図１及び図２に示すように、カップ部１２を受皿取付部５の取付凹部５ｂに収納させつつ、縁部１１を受皿取付部５の平坦部５ａに配置させて、受皿取付部５に着脱可能に設置される。この際、受皿１０は、好ましくは、液体を吐出する吐出口３の真下位置にカップ部１２の側面部１２ａが配置されるようにする。そして、受皿１０は、図４に示すように、カップ部１２に水が落下してカップ部１２の側面部１２ａに当たった場合、水をカップ部１２の外に跳ね返すことなく、水を、カップ部１２の側面部１２ａによってカップ部１２の底面部１２ｂ側（下方側）に向けて跳ね返して、内部に収容する。また、受皿１０は、カップ部１２に水が落下してカップ部１２の底面部１２ｂに当たった場合、水を、カップ部１２の外に跳ね返すことなく、内部に収容する。
【００２７】
以上のように、受皿１０は、板状の縁部１１に凹状のカップ部１２が一体に設けられ、一つの部品で構成されているので、二部品で構成されている従来の物よりも、構成を簡素化して低コスト化を図ることが出来る。
【００２８】
また、受皿１０は、カップ部１２の側面部１２ａが傾斜しているので、リブ等を設けなくとも機械的強度を確保することが出来る。したがって、受皿１０は、リブを設ける必要が無いので、リブを有する従来のものよりも、カップ部１２内が洗い易い。よって、受皿１０は、リブを有する従来のものよりも、衛生性、メンテナンス性の向上を図ることが出来る。
【００２９】
また、受皿１０は、カップ部１２に落下した水がカップ部１２の底面部１２ｂ側（下方側）に向けて跳ねるように、カップ部１２の側面部１２ａが傾斜している。更に、受皿１０は、カップ部１２に落下した水がカップ部１２の外に跳ね返らないように、カップ部１２の底面部１２ｂが湾曲又は傾斜している。したがって、受皿１０は、カップ部１２に落下した水がカップ部１２内の面と垂直に当たることがなく、カップ部１２に落下した水がカップ部１２の外に跳ね返ることを防止することが出来る。したがって、受皿１０は、従来の物よりも、水が跳散することがなく、衛生的であって、掃除等のメンテナンスもし易く、跳ね返った水がユーザ等に当たることもなく、衛生性、メンテナンス性、安全性の向上を図ることが出来る。
【００３０】
なお、受皿１０は、図６に示すように、カップ部１２の底面部１２ｂの外底面を平坦に設けるようにしても良い。これにより、この受皿１０は、図３〜図５に示す受皿１０と同様の作用効果を得ることに加え、ウォータサーバ１から取り外した際に自立することが出来る。特にこの場合、底面部１２ｂの外底面を平坦にしつつも、底面部１２ｂの内底面は湾曲させたり傾斜させる設定としても良い。
【００３１】
また、受皿１０は、図４及び図５に示すように、カップ部１２の側面部１２ａを縁部１１に対して傾斜して設けることに限定されるものではなく、図７に示すように、縁部１１に対して略垂直に設けるようにしても良い。この際、受皿１０は、カップ部１２の側面部１２ａを縁部１１に対して略垂直に設けつつ、カップ部１２の底面部１２ｂを平坦に設けるようにしても良く、カップ部１２の側面部１２ａを縁部１１に対して略垂直に設けつつ、カップ部１２の底面部１２ｂを湾曲又は傾斜させて設けるようにしても良い。
【００３２】
また、受皿１０は、図８に示すように、縁部１１の幅方向の一端部に化粧板１３を設けるようにしても良い。この化粧板１３は、例えば、略矩形板状に形成され、ウォータサーバ１の前面１ａ側の縁部１１の幅方向の一端部に一体に設けられている。更に、化粧板１３は、先端部がカップ部１２の底面部１２ｂと面一となるように設けられている。更に、化粧板１３は、縁部１１に対して略垂直に設けられている。更に、化粧板１３には、例えば、ウォータサーバ１の筺体（特に筺体の前面）と同じ装飾が施されている。
【００３３】
このような受皿１０は、図９に示すように、カップ部１２を受皿取付部５の取付凹部５ｂに収納させると共に、化粧板１３をウォータサーバ１の前面１ａから外部に露出させつつ、縁部１１を受皿取付部５の平坦部５ａに配置させて、受皿取付部５に着脱可能に設置される。
【００３４】
以上のように、この受皿１０は、図３〜図５に示す受皿１０と同様の作用効果を得ることに加え、化粧板１３を有し、化粧板１３の先端部とカップ部１２の底面部１２ｂとで縦断面視において二点支持されるので、ウォータサーバ１から取り外した際に自立することが出来る。
【００３５】
なお、化粧板１３を有する受皿１０は、図９に示すように、カップ部１２の底面部１２ｂを湾曲又は傾斜させて設けても良く、図１０に示すように、平坦に設けるようにしても良い。また、化粧板１３を有する受皿１０は、カップ部１２の側面部１２ａを縁部１１に対して傾斜して設けるようにしても良く、略垂直に設けるようにしても良い。
【００３６】
次に、第二実施例の受皿２０について説明する。なお、第二実施例の受皿２０については、第一実施例の受皿１０と同様の構成については同じ符号を付して説明を省略し、異なる構成についてのみ説明する。
【００３７】
具体的に、第二実施例の受皿２０は、図１１、図１２，図１３に示すように、カップ部１２内に板状の突部２１が形成されている。この突部２１は、例えば、カップ部１２の底面部１２ｂに、底面部１２ｂから縁部１１側に向けて立設され、カップ部１２の底面部１２ｂに一体に設けられている。更に、突部２１は、長さ方向に向けて配置されている。更に、突部２１は、先端部が縁部１１よりも底面部１２ｂ側に配置され、縁部１１よりも低く形成されている。
【００３８】
更に、突部２１の側面部２１ａは、鉛直より傾斜して設けられ、縁部１１から離間するに従って幅広となるように外側に傾斜している。更に、突部２１の側面部２１ａは、図１２中の矢印Ｗ２に示すように、カップ部１２に落下した水がカップ部１２の底面部１２ｂ側（下方側）に向けて跳ねるように、急角度に傾斜している。更に、カップ部１２の底面部１２ｂは、それぞれカップ部１２に落下した水がカップ部１２の外に跳ね返らないように、湾曲又は傾斜している。
【００３９】
以上のように、この受皿２０は、第一実施例の受皿１０と同様の作用効果を得ることが出来ることに加え、カップ部１２内に傾斜面を有する突部２１が形成されているので、突部２１によってもカップ部１２に落下した水がカップ部１２の外に跳ね返ることを防止することが出来る。したがって、受皿２０は、第一実施例の受皿１０よりも、カップ部１２に落下した水がカップ部１２の外に跳ね返ることをより確実に防止することが出来、衛生性、メンテナンス性、安全性の向上を図ることが出来る。
【００４０】
なお、受皿２０は、図１４に示すように、突部２１の先端部を縁部１１と面一となるように設けても良い。このような受皿２０は、図１１〜図１３に示す受皿２０と同様の作用効果を得ることに加え、突部２１の先端部を縁部１１と面一となるように設けているので、受皿２０（縁部１１及び突部２１の先端部）上に置かれたユーザのコップ等の容器を、３点以上で支持して、安定的に支持することが出来る。したがって、受皿２０は、ユーザのコップ等の容器の置き台として用いることが出来る。
【００４１】
また、受皿２０は、図１５に示すように、突部２１の先端部を縁部１１から突出して、縁部１１の位置よりも上方位置まで延設して設けても良い。このような受皿２０は、図１１〜図１３に示す受皿２０と同様の作用効果を得ることに加え、突部２１の先端部を縁部１１から突出するように設けているので、縁部１１から突出した突部２１によって受皿２０（縁部１１）上にユーザのコップ等の容器が置かれることを防止することが出来る。
【００４２】
更に、上述したようなカップ部１２内に突部２１が形成される受皿２０は、さらに、カップ部１２の底面部１２ｂを湾曲又は傾斜させて設けるようにしても良く、平坦に設けるようにしても良い。また、この受皿２０は、さらに、カップ部１２の側面部１２ａを縁部１１に傾斜して設けるようにしても良く、略垂直に設けるようにしても良い。また、この受皿２０は、さらに、縁部１１に化粧板１３を設けるようにしても良い。
【００４３】
また、受皿２０は、突部２１をカップ部１２の底面部に一つ形成することに限定されるものではなく、図１６に示すように、複数個形成するようにしても良い。この際、受皿２０は、突部２１を幅方向に向けて長さ方向に複数個形成するようにしても良く、突部２１を長さ方向に向けて長さ方向に複数個形成するようにしても良い。
【００４４】
このような受皿２０は、図１１〜図１３に示す受皿２０と同様の作用効果を得ることに加え、突部２１が複数個形成されているので、カップ部１２に落下した水がカップ部１２の側面部１２ａ及び突部２１の側面部２１ａにより確実に当たり、カップ部１２に落下した水がカップ部１２の外に跳ね返ることをより確実に防止することが出来る。したがって、この受皿２０は、第一実施例の受皿１０よりも、衛生性、メンテナンス性、安全性の向上を図ることが出来る。
【００４５】
また、受皿２０は、突部２１を板状に形成することに限定されるものではなく、図１７に示すように、ボス状（柱状）に形成するようにしても良い。このボス状の突部２１の側面部２１ａは、縁部１１から離間するに従って幅広となるように外側に傾斜している。更に、突部２１の側面部２１ａは、カップ部１２に落下した水がカップ部１２の底面部１２ｂ側（下方側）に向けて跳ねるように、急角度に傾斜している。
【００４６】
このような受皿２０は、図１１〜図１３に示す受皿２０と同様の作用効果を得ることに加え、ボス状の突部２１が少なくとも一つ形成されているので、カップ部１２に落下した水がカップ部１２の側面部１２ａ及び突部２１の側面部２１ａにより確実に当たり、カップ部１２に落下した水がカップ部１２の外に跳ね返ることをより確実に防止することが出来る。したがって、この受皿２０は、第一実施例の受皿１０よりも、衛生性、メンテナンス性、安全性の向上を図ることが出来る。
【００４７】
更に、上述したようなボス状の突部２１が形成される受皿２０は、さらに、カップ部１２の底面部１２ｂを湾曲又は傾斜させて設けるようにしても良く、平坦に設けるようにしても良い。また、この受皿２０は、さらに、カップ部１２の側面部１２ａを縁部１１に傾斜して設けるようにしても良く、略垂直に設けるようにしても良い。また、この受皿２０は、さらに、縁部１１に化粧板１３を設けるようにしても良い。また、この受皿２０は、さらに、突部２１の先端部を縁部１１よりも低く設けても良く、面一に設けても良く、縁部１１から突出するように設けても良い。
【００４８】
また、給液装置は、流体として、水やミネラルウォータ等を供給するウォータサーバに限定されるものではなく、清涼飲料、飲料水、酒類、醤油、みりん、ドレッシング、味噌などの流体調味料、みそ汁やコーンスープなどの流体料理等を含む飲食料や工業品等の流体、粘性流体、ゲル状体、スラリー状体を供給する装置であっても良い。
【符号の説明】
【００４９】
１  ウォータサーバ、１ａ  前面、２  前面凹部、３  吐出口、４  吐出操作部、５  受皿取付部、５ａ  平坦部、５ｂ  取付凹部、１０  受皿、１１  縁部、１２  カップ部、１２ａ  側面部、１２ｂ  底面部、１３  化粧板、２０  受皿、２１  突部、２１ａ  側面部、１００  ウォータサーバ、１０１ａ  前面、１０２  前面凹部、１０３  吐出口、１０４  吐出操作部、１０５  受け部取付部、１１０  受け部、１１１  収容部材、１１２  蓋体、１１２ａ  貫通口
【図１】
0006589230.tif 000002
【図２】
0006589230.tif 000003
【図３】
0006589230.tif 000004
【図４】
0006589230.tif 000005
【図５】
0006589230.tif 000006
【図６】
0006589230.tif 000007
【図７】
0006589230.tif 000008
【図８】
0006589230.tif 000009
【図９】
0006589230.tif 000010
【図１０】
0006589230.tif 000011
【図１１】
0006589230.tif 000012
【図１２】
0006589230.tif 000013
【図１３】
0006589230.tif 000014
【図１４】
0006589230.tif 000015
【図１５】
0006589230.tif 000016
【図１６】
0006589230.tif 000017
【図１７】
0006589230.tif 000018
【図１８】
0006589230.tif 000019
【図１９】
0006589230.tif 000020